(57)【特許請求の範囲】
【請求項１】
データ伝送速度が大きい第１回線とデータ伝送速度が小さい第２回線とを接続し、第１回線から受信したデータを記憶手段に一時的に格納して第２回線へ送信するデータ変換装置であって、
前記データを、それぞれが情報の内容となる複数の内容情報部分を配置して含む情報部に、当該データの種別を示す種別情報部を付加したデータ形式とし、
第１回線からデータを受信する受信手段と、
受信手段によって受信した現データの種別情報部と、受信されて前記記憶手段に既に格納されている前データの種別情報部と、を比較し、当該現データと前データとが同じ種別である場合には、両データで情報部の同じ位置に配置された重複する内容情報部分について前データ中の該当する内容情報部分を現データの該当する内容情報部分によって更新することで両データを１つのデータに統合する比較更新手段と、
比較更新手段によって比較更新処理がなされて前記記憶手段に格納されたデータを第２回線へ送信する送信手段と、を備えたことを特徴とするデータ変換装置。
【発明の詳細な説明】
【０００１】
【発明の属する技術分野】
本発明は、データ伝送の際にデータの伝送速度を変換して伝送速度の違う回線を接続するデータ変換装置に関し、特にデータ伝送速度が大きい通信回線とデータ伝送速度の小さい通信回線とを接続するデータ変換装置に関する。
【０００２】
【従来の技術】
従来より受信装置と送信装置とを通信回線を通じて接続して、データの伝送を行うことが知られている。前記データ伝送では、例えば、図５（ａ）及び（ｂ）に示すように通信回線と装置とが接続されたものがある。
図５（ａ）では、伝送速度９．６ｋｂｐｓ（キロビット／秒）で伝送されるデータを受信可能な受信装置１０と伝送速度４．８ｋｂｐｓで伝送されるデータを受信可能な受信装置１１とをそれぞれの伝送速度の通信回線１２，１３に接続した場合の回線構成を示している。
この回線構成では、上記それぞれの受信装置１０，１１は予め設定された伝送速度のデータしか受信することができないため、設定された伝送速度でデータの伝送を行う通信回線にしか接続ができず、伝送速度９．６ｋｂｐｓでデータ伝送する通信回線１２と伝送速度４．８ｋｂｐｓでデータ伝送する通信回線１３との２種類の通信回線が使用されている。
【０００３】
図５（ｂ）では、伝送速度９．６ｋｂｐｓと伝送速度４．８ｋｂｐｓでデータを伝送する場合の回線構成を示している。
この回線構成では、伝送速度９．６ｋｂｐｓでデータを伝送するための通信回線１４と伝送速度４．８ｋｂｐｓでデータを伝送するための通信回線１５があり、送信装置が予め設定された伝送速度でしかデータを送信することができないために、伝送速度９．６ｋｂｐｓ用と伝送速度４．８ｋｂｐｓ用との２種類の送信装置１６，１７が使用されている。
【０００４】
【発明が解決しようとする課題】
上記したように、従来のデータ伝送では、データ伝送速度の違う通信回線と受信機又は送信機とを接続することが不可能であった。そのため、複数種類の回線が必要となったり、複数の送信装置が必要となっていた。
本発明では、上記従来の事情に鑑みなされたもので、データ伝送速度を変換するとともに、データ伝送速度の変換することによって生じる伝送時間をも短縮して、データ伝送速度の違う回線を接続することを可能とするデータ変換装置を提供することを目的とする。
【０００５】
【課題を解決するための手段】
上記目的を達成するために本発明に係るデータ変換装置は、データ伝送速度が大きい第１回線とデータ伝送速度が小さい第２回線とを接続し、第１回線から受信したデータを伝送速度を変換して第２回線へと送信するデータ変換装置であって、データを格納する記憶手段と、受信手段によって受信したデータ（現データ）と現データより先に受信されて記憶手段に既に格納されているデータ（前データ）中の同種のデータとを比較し、両データの内容が重複する部分について前データ中の該当部分を現データの該当部分によって更新する比較更新手段と、比較更新手段によって比較更新処理がなされて記憶手段に格納されたデータを第２回線へ送信する送信手段と、を備えたことを特徴とする。
【０００６】
上記データ変換装置によると、受信手段がデータ伝送速度の大きい第１回線からデータを受信すると、記憶手段が受信したデータを格納する。この格納に際して、比較更新手段が受信した現データと記憶手段に既に格納されている同種の前データとを比較して、両データの内容が重複する部分について前データ中の該当部分を現データの該当部分によって更新する。そして、記憶手段に格納されている更新データは送信手段によってデータ伝送速度の小さい第２回線へと送信される。したがって、第２回線へは記憶手段に格納されることによって伝送速度を変換されたデータが送信されるとともに、同種のデータがある場合にはいわゆる間引き処理がなされて一電文化され、送信データ量が減少される。
【０００７】
【発明の実施の形態】
本発明の一実施例に係るデータ変換装置を図１を参照して説明する。
このデータ変換装置は、伝送速度９．６ｋｂｐｓの第１回線１と接続されてデータを受信する受信手段Ｒと、受信データが変換対象のデータであるかを判別する判別手段Ｊと、変換対象の受信データを第１回線１で使用されているデータ形式から第２回線２で使用されるデータ形式へと変換する変換手段Ｔと、変換手段Ｔで変換された受信データを格納するバッファメモリＭと、バッファメモリＭがデータを格納する際に、変換手段Ｔに変換された現データとバッファメモリＭに格納されている前データとを比較し、現データによってバッファメモリＭに格納されている前データを更新する比較更新手段Ｃと、伝送速度４．８ｋｂｐｓの第２回線２と接続されてデータを送信する送信手段Ｓと、を備えている。
【０００８】
受信手段Ｒは、伝送速度９．６ｋｂｐｓでデータを伝送する第１回線１と接続されていて、第１回線１で使用されている通信方式に従って伝送されるデータ（例えば、図２（１）に示してあるデータ形式）を受信する。前記データは、情報部、ヘッダ情報部、誤り制御符号等から構成されており、ヘッダ情報部には送信先の識別番号（ＩＤ）、送信元のＩＤ、情報部に含まれている内容の種別及び位置等の情報が格納されている。
【０００９】
判別手段Ｊは、受信手段Ｒによって受信されたデータが伝送速度を変換する対象であるかどうかを判別し、変換する対象であれば変換手段Ｔに受信データを転送し、変換する対象外であればデータを読み捨てる。
すなわち、本実施例では、前記データ中のヘッダ情報に含まれている送信先ＩＤに基づいて判別しており、送信先ＩＤが第２回線２につながれている装置のＩＤである場合には変換対象として変換手段Ｔに転送し、それ以外の場合は変換対象外としてデータを読み捨てる。
【００１０】
変換手段Ｔは、第１回線１で使用されている通信方式でのデータ形式から第２回線２で使用されている通信方式でのデータ形式へと変換する。
本実施例では、図２（１）に示されているデータ形式から図２（２）で示されているデータ形式へと変換する。すなわち、この変換では、第１回線１でのデータのヘッダ情報部より情報部の種別を取り出し、また、情報部の文字コードを第２回線２で使用されている文字コードへと変換して第２回線２で使用されるデータ形式にしている。なお、図では、例えば情報Ａ１をコード変換したものを情報ａ１と表示している。
【００１１】
バッファメモリＭは、第１回線１での伝送速度と第２回線２での伝送速度とが違うことから生じる受信データ量と送信データ量との差のデータを一時的に格納する。このため、データが受信されてから送信されるまでの間の一時的な時間を調整でき、第１回線１から受信されるデータを支障なく第２回線２へと送信させることができる。
そして、バッファメモリＭは、例えば、メモリ領域を予め或る固定長に領域を区切っておき、その領域に受け取ったデータを格納していき、一番初めに格納されたデータから送信手段の送信状態に基づいて順次送信手段Ｓに転送を行い、データ転送後は前記データが格納されていた領域を、再び後続のデータが格納できる空き領域とする。
【００１２】
上記バッファメモリＭは、図２（３）に示すように、全体がバッファメモリＭのメモり領域で、その中に区切られている実線で囲まれた１つ１つが固定長に区切られた領域となり、バッファメモリＭがデータを格納する時には、１つの領域に１つのデータを図の下の領域から順次格納し、転送する時には、下の領域のデータから順次転送する。
【００１３】
比較更新手段Ｃは、バッファメモリＭに格納されて送信手段Ｓへの転送を待っている状態の全ての前データと、変換手段ＴからバッファメモリＭに格納しようとする現データとを比較する。そして、種別情報が同じデータを検出した場合には、前データの現データと内容が重複している部分を現データの内容へと更新することによって、前データと現データを１つのデータにする。
【００１４】
本実施例では、例えば、バッファメモリＭが図２（３）に示す状態の時に、図３（２）に示す現データを格納しようとする場合には、比較更新手段ＣがバッファメモリＭに格納されている前データの種別情報部分と、現データの種別情報部分を比較し、前データの中に種別情報部分が同一なデータ（例えば、種別情報部分が種別ａのデータ）を検出し、同種のデータとして扱う。このように、同種の前データを検出すると、当該前データと現データに含まれている同内容を意味する内容情報部分（情報ａ１’と情報ａ１のようにデータ内部で同様な位置に格納されているもの）
のうち、重複した部分（情報ａ１’と情報ａ１、情報ａ２’と情報ａ２、情報ａ４’と情報ａ４）を、現データに含まれている情報で更新する。その結果、同種の前データ及び現データは図３（３）に示すように種別ａの１つのデータへと統合される。
【００１５】
上記の統合化処理を、例えば、データ伝送で株価情報データを扱っている場合に当てはめてみると、上記種別情報部分は或る会社の銘柄を表し、上記情報部分は前記銘柄の現在の株価を表していて、データの更新によって、或る銘柄の最新の株価情報にするといった処理を行っている。また、上記株価情報のデータの他には、天気及び気温情報のデータ等にも上記統合化処理を利用することができる。
【００１６】
送信手段Ｓは、伝送速度４．８ｂｐｓでデータを伝送する第２回線２と接続されており、バッファメモリＭから順次受け取るデータを第２回線２で使用されている通信方式に従って送信する。
【００１７】
次に、上記データ変換装置の動作を図１、図２及び図３を参照して説明する。第１回線１から受信手段Ｒがデータを受信すると、判別手段Ｊが受信したデータが変換対象かどうかを判別し、変換対象のデータは変換手段Ｔに転送される。変換対象のデータは変換手段Ｔによって、第１回線１で使用されているデータ形式から第２回線２で使用するデータ形式へと変換され、バッファメモリＭに格納される。
【００１８】
例えば、図２（１）に示すデータが受信手段Ｒに受信されて、判別手段Ｊに変換対象であると判別されると、変換手段Ｔによって図２（２）に示すデータ形式へと変換され、バッファメモリＭには、図２（３）に示すように格納される。
【００１９】
また、受信した現データを変換手段ＴからバッファメモリＭに格納するときに、比較更新手段ＣがバッファメモリＭに格納されている前データの中に現データと同種の前データを検出した場合には、前データの現データと同内容の重複している部分を現データの内容へと更新する。これよって、前データと現データの情報内容を１つのデータにするために、送信するデータ量は縮小する。
例えば、バッファメモリＭが図２（３）に示すような状態の時に、変換手段Ｔが図３（１）に示す現データを図３（２）に示すような現データに変換して、バッファメモリＭが現データを格納するときには、比較更新手段ＣによってバッファメモリＭに格納されているデータ中に同種の前データが検出され、同種の前データは現データ基づいて更新されて、両データは図３（３）に示すバッファメモリＭに含まれている種別ａのデータとなる。
【００２０】
上記の処理が行われていると同時に、バッファメモリＭは、格納されているデータのうち、転送される順番となったデータを送信手段Ｓへと転送する。送信手段Ｓは受け取ったデータを第２回線２へ送信する。送信手段Ｓによって１つのデータが送信されると、バッファメモリＭは送信を終えたデータの格納されていた領域をクリアして、後続するデータを格納できる領域とするとともに、次に転送することになっているデータを送信手段Ｓに転送する。このように、バッファメモリＭから送信手段Ｓへとデータが順次転送され、送信手段Ｓはデータを順次第２回線２へと送信する。
【００２１】
このように、伝送速度の違う第１回線１から第２回線２へとデータを伝送することができ、また、バッファメモリＭに格納されているデータと同種のデータを受信したときにはデータを一つに統合するために、送信するデータの量を縮小することができ、データの伝送時間を短縮することができる。
また、第１回線１と第２回線２とで使用されるデータの形式が違っていても支障なく伝送することができる。
【００２２】
次に、本実施例に係るデータ変換装置を使用した通信回線の例を図４及び図５を参照して説明する。
図４（ａ）は、従来例の図５（ａ）に、データ変換装置を適用した場合であり、データ変換装置５によって４．８ｋｂｐｓ用の受信装置１１が９．６ｋｂｐｓ用の通信回線１２と接続することが可能となり、その結果、９．６ｋｂｐｓ用の通信回線１種類だけで回線を構成することができる。
【００２３】
図４（ｂ）は、従来例の図５（ｂ）に、データ変換装置を適用した場合であり、データ変換装置５によって９．６ｋｂｐｓ用の送信装置１６と４．８ｋｂｐｓ用の通信回線１５と接続することが可能となり、その結果、９．６ｋｂｐｓ用の送信装置だけで２種類の通信回線１４，１５へデータを送信することが可能となる。
このように、データ変換装置５を使用することによって、回線種類の数を減らすことや、使用する送信装置を減らすこと等が可能となる。
【００２４】
なお、本実施例では、比較更新手段Ｃは、受信した現データをバッファメモリＭに格納する前に比較更新処理を行っているが、受信した現データを一旦バッファメモリＭに格納した後に、同様な比較更新処理を行うようにすることもできる。
また、本実施例では、比較更新手段Ｃは、バッファメモリＭの前データと受信した現データとが同種の場合に、重複内容部分を後から受信される現データの内容へと更新する処理をしていたが、データが含んでいる情報によっては、例えば、前データと現データとの重複内容部分のうち数値が大きい方が必要なデータである場合には、数値の大きい方を選ぶといったように、前データと現データの同内容部分のどちらか必要な方を選ぶようにして、データをその必要な内容に更新するようにしてもよい。
【００２５】
また、本実施例では、変換手段Ｔがデータの形式を変換した後にバッファメモリＭに格納し、バッファメモリＭのデータを送信手段Ｓがそのまま送信するといった装置構成となっていたが、まず、バッファメモリＭに格納して、バッファメモリＭより変換手段Ｔに転送してデータの形式を変換し、送信手段Ｓが送信するといった装置構成にすることもできる。
【００２６】
また、第１回線１と第２回線２とで使用されているデータの形式が同一の場合には変換手段Ｔは省略することができる。
また、受信手段Ｒが受信する全てのデータを第２回線２へと送信するといった回線構成であれば、判別手段Ｊは省略することができる。
また、本実施例では、データ変換装置が伝送速度が９．６ｋｂｐｓの回線と４．８ｋｂｐｓの回線とを接続していたが、前記伝送速度の回線に関わらず伝送速度が大きい回線と小さい回線とを接続することが可能である。
【００２７】
【発明の効果】
以上説明したように、本発明に係るデータ変換装置では、第１回線から受信装置がデータを受信し、受信したデータを記憶手段が格納し、格納されたデータを送信手段が第２回線に送信させるとともに、比較更新手段が、受信手段が受信した現データと、バッファメモリに格納された前データが同種である場合には両データの重複内容部分について、前データ中の該当部分を現データの該当部分によって更新して、現データと前データを必要な内容を含む一つのデータとすることによって、送信するデータ量を縮小させる。そのため、データ伝送速度を変換して伝送速度の違う回線を接続できるとともに、伝送すべきデータ量を減少させて伝送にかかる時間を短縮することができる。
さらに、このデータ変換装置を使用することによって、回線の構成によっては、使用している回線種類の数を減らすことや、送信装置の使用数を減らすこと等ができ、回線及び装置に掛かる費用を削減することが可能となる。
【図面の簡単な説明】
【図１】本発明の一実施例に係るデータ変換装置の構成図である。
【図２】本発明の一実施例に係るデータ形式及びメモリバッファの状況を示す概念図である。
【図３】本発明の一実施例に係るデータ形式及びメモリバッファの状況を示す概念図である。
【図４】本発明のデータ変換装置を利用した回線を示す構成図である。
【図５】従来例の回線を示す構成図である。
【符号の説明】
１・・第１回線、  ２・・第２回線、
Ｒ・・受信手段、  Ｍ・・バッファメモリ、
Ｃ・・比較更新手段、  Ｓ・・送信手段、
【図１】
0003634911.tif 000002
【図２】
0003634911.tif 000003
【図３】
0003634911.tif 000004
【図４】
0003634911.tif 000005
【図５】
0003634911.tif 000006